(57)【要約】ハイブリッドＯＦＤＭＡ−ＣＤＭＡ方式のＣＤＭＡサブチャネルにおけるキャリア間干渉を低減するための改良された方法が実現される。ＯＦＤＭＡトーンのデコーディングの結果は、ＣＤＭＡトーンから干渉を少なくとも部分的にキャンセルするために用いられる。次いで、ＣＤＭＡトーンがデコードされる。特定の実施形態では、制御情報は、ＣＤＭＡトーンのデコーディングの最初のステップによって得られる。制御情報は、ＯＦＤＭＡトーンのデコーディングにおいて用いられる。次いで、ＯＦＤＭＡトーンのデコーディングとＣＤＭＡトーンのデコーディングは反復的に行われ、それにより、ＯＦＤＭＡデコーディングの少なくとも１つのインスタンスがＣＤＭＡトーンから干渉をキャンセルするのに用いられ、ＣＤＭＡデコーディングの少なくとも１つのインスタンスがＯＦＤＭＡトーンをデコードするための改善された制御情報を得るために用いられるようになる。
2009530974.tif 000002
【特許請求の範囲】
【請求項１】
２つ以上のＯＦＤＭＡサブキャリアのグループからの無線送信を無線周波数復調するステップであって、それによって無線ネットワークにおけるエンティティによって送られる、少なくとも２つのコンカレント信号、命名されたトーン出力信号を得る、無線周波数復調するステップと、
前記トーン出力信号の少なくとも１つを、ＯＦＤＭＡデコーディングするステップと、
少なくとも１つの干渉信号を発生するために、前記ＯＦＤＭＡデコーディングの結果を用いるステップと、
少なくとも１つの他のトーン出力信号から、前記干渉信号をキャンセルするステップであって、それによって１つまたは複数の干渉がキャンセルされた信号を生ずる、前記干渉信号をキャンセルするステップと、
少なくとも１つの干渉がキャンセルされた前記信号を、ＣＤＭＡデコーディングするステップと
を含む方法。
【請求項２】
ＯＦＤＭＡデコーディングする前記ステップに先行する、初期ＣＤＭＡデコーディング・ステップにおいて、少なくとも１つのトーン出力信号をＣＤＭＡデコーディングするステップであって、それによって制御情報を得る、ＣＤＭＡデコーディングするステップと、
ＯＦＤＭＡデコーディングする前記ステップにおいて、前記制御情報を用いるステップと
をさらに含む、請求項１に記載の方法。
【請求項３】
ＯＦＤＭＡデコーディングする前記ステップと、干渉信号を発生する前記ステップと、干渉をキャンセルする前記ステップと、干渉がキャンセルされた信号をＣＤＭＡデコーディングする前記ステップとが、少なくとも１回繰り返されるサイクルにおいて生じ、
それぞれの繰り返されるサイクルにおいて、ＯＦＤＭＡデコーディングする前記ステップが、先行するサイクルにおいて、少なくとも１つの干渉がキャンセルされた信号をＣＤＭＡデコーディングする前記ステップから得られる制御情報を用いる、請求項２に記載の方法。
【請求項４】
前記制御情報が、変調および符号化方式と、パケット持続時間と、前記エンティティによって送信されるべき信号へのサブキャリアの割振りのうちの少なくとも１つを含む、請求項２に記載の方法。
【請求項５】
ＣＤＭＡデコーディングする前記ステップが、制御情報および低速ユーザ・データを含む情報を復元するように実行される、請求項１に記載の方法。
【発明の詳細な説明】
【技術分野】
【０００１】
本発明は、無線送信および受信に関し、より詳細にはＯＦＤＭＡ技術を用いた無線ネットワークにおける送信および受信に関する。
【背景技術】
【０００２】
無線ディジタル通信用には、様々な送信技術が利用可能である。利用可能な技術の中には、直交周波数分割多元接続ＯＦＤＭＡがある。通常のＯＦＤＭＡ送信器では、音声または他のペイロード情報を表すデータ・ビットのストリームは、複数の並列データ・ストリームに分解される。並列ストリームのそれぞれは、条件付けされ、次いで１組の互いに直交する無線周波数ｒｆサブキャリアから選択されたｒｆサブキャリア上に変調される。変調されたサブキャリアは、送信のために条件付けされ、加算され、送信される。
【０００３】
サブキャリアは、「トーン」と呼ばれることもある。したがってここでは、サブキャリア上に変調される準備が整った、条件付けされた信号を「トーン入力信号」と呼ぶことにする。同様に受信器内で、単一のサブキャリアの直交復調によって復元された信号を、「トーン出力信号」と呼ぶことにする。
【０００４】
上記のように通常、データ・ビットの並列ストリームのそれぞれは、サブキャリア上に変調される前に条件付けされる。条件付けは、通常、ＢＰＳＫ、ＱＰＳＫ、８ＰＳＫ、３２ＱＡＭなどの変調方式によるデータ・ビットのシンボルへのマッピングを含む。入力信号の条件付けはまた、たとえば誤り補正の目的で冗長性を導入するように設計された符号化、およびＯＦＤＭＡ方式全体にわたるピーク対平均電力比ＰＡＰＲを低減するように設計された符号化を含んでもよい。データの符号化、およびデータのシンボルへのマッピングの詳細は、まとめて「変調および符号化方式ＭＣＳ」と呼ばれる。
【０００５】
通常のＯＦＤＭＡ送信器は、複数のサブキャリアを用いて、複数のシンボルを並列に送信する。このような送信は、ここでは「シンボル間隔」と呼ぶ時間間隔を占め、ここでは限定せずに「パケット持続時間」と呼ぶ持続時間をもつことになる。１つのシンボル間隔の間に並列に送信されるシンボルのグループは、ここでは「ＯＦＤＭＡシンボル」と呼ばれる。後続のシンボル間隔では、他のＯＦＤＭＡシンボルが送信されることになる。
【０００６】
ＯＦＤＭＡ送信からペイロード・データを正しく復元するためには、受信器は、ＭＣＳ、パケット持続時間、サブキャリアのトーン入力信号への割振り、および場合によっては他のこのような情報が分かっていなければならない。このような情報は予め供給してもよく、または、たとえば制御情報用に指定された特別なチャネル上に信号で伝えることによって供給してもよい。
【０００７】
知られているもう１つの無線ディジタル通信用に有用な技術は、符号分割多元接続ＣＤＭＡ技術である。ＣＤＭＡ送信では、ＯＦＤＭＡ送信の場合のように、直交性の性質が入力データの複数のストリームの並列送信を可能にする。ＣＤＭＡでは、直交性は入力データの「拡散」によってもたらされ、すなわち様々なストリームのそれぞれにおける入力データに、それぞれの拡散コードを乗算することによってもたらされる。各ストリームに関連付けられた拡散コードは、他のすべてのストリームに関連付けられた拡散コードと直交する。複数の入力ストリームから条件付けされ、拡散されたデータは、単一の周波数帯にわたる複合信号として、並列に送信することができる。受信器では、複合信号のｒｆ復調の後、複合信号を逆多重化するために拡散コードの直交性が用いられる。
【０００８】
無線方式内にＯＦＤＭＡ技術とＣＤＭＡ技術の両方を組み込むための、いくつかの提案がなされている。たとえば本願の譲受人に譲渡された、２００６年１月１３日に出願されたＰ．Ｍｏｎｏｇｉｏｕｄｉｓらによる「Ｗｉｒｅｌｅｓｓ  Ｃｏｍｍｕｎｉｃａｔｉｏｎｓ  Ｓｙｓｔｅｍ  Ｅｍｐｌｏｙｉｎｇ  ＯＦＤＭＡ  ａｎｄ  ＣＤＭＡ  Ｔｅｃｈｎｉｑｕｅｓ」という名称の米国特許出願第１１／３３２，６４３号に、１つのそのような構成が記載されている。
【０００９】
このようなハイブリッド構成は、いくつかの利点を提供することができる。たとえば、直交サブキャリアの動的割当てを行うＯＦＤＭＡ方式において、それらのサブキャリアのいくつかをＣＤＭＡ送信を伝送するように事前に割り振ることによって、そのような動的割当ての数を低減することができる。
【００１０】
したがってハイブリッドＯＦＤＭＡ−ＣＤＭＡ方式は、ＣＤＭＡ送信を伝送するように指定された少なくとも１つの周波数サブチャネルを有することになる。このようなサブチャネルは、わずかに１つのサブキャリアを含むだけでもよい。しかし大抵は、ＣＤＭＡサブチャネルは複数のサブキャリアを含むことになる。これらのサブキャリアは、分離し、離散的とすることができ、あるいはそれらは隣接させることができる。それらが隣接する場合は、それらは「ＣＤＭＡゾーン」と呼ぶ連続した周波数帯に広がることができる。
【００１１】
ＣＤＭＡサブキャリアは、たとえば制御情報または低速ユーザ・データ、またはその両方、および他のタイプの情報を運ぶために用いることができる。
【００１２】
ＯＦＤＭＡ方式は、キャリア間干渉を受けやすいことが知られている。たとえば、サブキャリアの間での不完全な直交性は、ＯＦＤＭＡ方式の逆方向リンクすなわちアップリンク上の異なるユーザから送信された信号による、基地局受信器での干渉を引き起こし得る。様々なサブキャリアが同様な電力レベルで受信されるとき、一般にキャリア間干渉は受信器内の熱雑音と同程度か、さらにはそれより小さい。このような状況下では、一般にキャリア間干渉は無視することができる。
【００１３】
しかし、ハイブリッド方式のＣＤＭＡサブチャネル上のユーザの数が少ない場合は、ＣＤＭＡサブキャリア上で受信される電力は、隣接するＯＦＤＭＡサブキャリア上で受信される電力より、かなり弱くなり得る。このような場合はキャリア間干渉は、もはや無視することができなくなる。たとえばいくつかの研究では、−５ｄＢにも達するキャリア間干渉のレベルが予測され、これは通常の熱雑音のレベルよりもずっと高い。（周波数オフセットの不完全な推定などの他の要因が、キャリア間干渉を悪化させ得ることに留意するべきである。）
【００１４】
キャリア間干渉が顕著なレベルに達するときの１つの望ましくない結果は、電力制御ループが影響を受け得ることである。すなわち電力制御ループが、ユーザの送信電力を高めることによって基地局での受信を改善しようとすることがあり得る。しかし、逆方向リンクのＣＤＭＡサブチャネル上での電力が増加されるので、これらのチャネル上のセル間の干渉も増加し得る。全体的な結果として、無線ネットワーク中のシステム能力が低下し得る。
【特許文献１】米国特許出願第１１／３３２，６４３号
【非特許文献１】Ｅ．Ｌｅｕｎｇら、「Ａ  Ｓｕｃｃｅｓｓｉｖｅ  Ｉｎｔｅｒｆｅｒｅｎｃｅ  Ｃａｎｃｅｌｌａｔｉｏｎ  Ｓｃｈｅｍｅ  ｆｏｒ  ａｎ  ＯＦＤＭ  ｓｙｓｔｅｍ」、ＩＥＥＥ  Ｉｎｔｅｒｎａｔｉｏｎａｌ  Ｃｏｎｆｅｒｅｎｃｅ  ｏｎ  Ｃｏｍｍｕｎｉｃａｔｉｏｎｓ、ＩＥＥＥ（１９９８年），３７５〜３７９頁
【発明の開示】
【発明が解決しようとする課題】
【００１５】
したがって、ハイブリッドＯＦＤＭＡ−ＣＤＭＡ方式のＣＤＭＡサブチャネルにおけるキャリア間干渉を低減する改良された方法が必要である。
【課題を解決するための手段】
【００１６】
本発明者らは、ハイブリッドＯＦＤＭＡ−ＣＤＭＡ方式のＣＤＭＡサブチャネルにおけるキャリア間干渉を低減するための改良された方法を見出した。本発明者らの方法によれば、ＯＦＤＭＡトーンがデコードされる。次いで、ＯＦＤＭＡトーンのデコーディングの結果は、ＣＤＭＡトーンから干渉を少なくとも部分的にキャンセルするために用いられる。次いで、ＣＤＭＡトーンがデコードされる。
【００１７】
本発明者らの方法の特定の実施形態では、制御情報は、ＣＤＭＡトーンのデコーディングの最初のステップによって得られる。制御情報は、ＯＦＤＭＡトーンのデコーディングにおいて用いられる。次いで、ＯＦＤＭＡトーンのデコーディングとＣＤＭＡトーンのデコーディングは反復的に行われ、それにより、ＯＦＤＭＡデコーディングの少なくとも１つのインスタンスがＣＤＭＡトーンから干渉をキャンセルするために用いられ、ＣＤＭＡデコーディングの少なくとも１つのインスタンスがＯＦＤＭＡトーンをデコードするための改善された制御情報を得るために用いられるようになる。
【発明を実施するための最良の形態】
【００１８】
説明のために、本発明をユーザから基地局への逆方向リンク（「アップリンク」とも呼ばれる）通信との関連において説明する。しかし、ここに説明する原理は応用においては、より一般的であり、たとえば順方向リンク通信との関連において、さらにはピア・ツー・ピア通信との関連において有用となり得る。
【００１９】
ハイブリッド送信器の一実施例は、図１に示される。図のブロック１０によって表される初期データのストリームは、ＣＤＭＡサブチャネル上に送信されるように予定される。パイロット・シンボル１２も、ＣＤＭＡサブチャネル上に送信することができる。データを送信用に条件付けするために、ブロック２０に示されるように、データまたはパイロット・シンボルの各入力ストリームは、それ自体の拡散コードによって乗算される。ＣＤＭＡ技術ではまた、ブロック３０に示されるように、入力信号にスクランブリング・コードを乗算することが良く知られている。スクランブリング・コードは、セキュリティの目的のため、およびまた異なるセル内のユーザに対するサービス・セクタを識別するために有用である。
【００２０】
様々な入力ストリームは、ブロック４０で足し合わされて複合入力ストリームとなる。直並列変換器５０にて複合入力ストリームは、良く知られた方法により、並列に処理されるようにサブストリームに逆多重化される。プリコーダ・ブロック６０では、時間領域信号を表す並列入力サブストリームは、それらを周波数領域出力信号に変換する、たとえば離散フーリエ変換ＤＦＴアルゴリズムを受ける。したがって、ブロック６０の各出力ポートは、離散周波数に対応することになる。周波数の対応は、以下に述べるブロック６５でのマッピングによって決定される。
【００２１】
当業者には、プリコーダ・ブロック６０において、送信される信号のピーク対平均電力比ＰＡＰＲを低減するように、入力サブストリームにＤＦＴ行列または単位行列を適用してもよいことが理解されよう。
【００２２】
１つのシンボル間隔の持続時間にわたって、それぞれの複素スカラー値が、これらの出力ポートのそれぞれに現れる。プリコーダ６０からの出力値は、ブロック６５に入力として供給され、そこで上記のように、それらはそれぞれのＯＦＤＭＡサブキャリアにマッピングされる。ブロック６５の出力は、ＯＦＤＭＡシンボルを構成する。
【００２３】
結果としての各ＯＦＤＭＡシンボルは、ＩＦＦＴ（逆高速フーリエ変換）ブロック７０の入力ポートに印加され、良く知られたＯＦＤＭＡ技法により、ＣＤＭＡサブチャネルを構成するサブキャリアに乗せられる。ブロック８０では、良く知られたＯＦＤＭＡ技法により、結果としての信号に巡回プレフィックスが追加される。送信の前に、信号を信号処理ブロック９０に通してもよく、そこではたとえば、望ましくない高周波成分を信号から除去するために、パルス整形フィルタまたはウィンドウ機能が適用される。
【００２４】
ブロック１４などのブロックによって表される初期データのストリームは、たとえば従来のＯＦＤＭＡ送信用に指定されたサブキャリア上で送信されるように予定される。良く知られたＯＦＤＭＡの方法により、ブロック１４から生じるデータは、ブロック５２で適当な変調方式を用いてシンボルにマッピングされ、直並列変換器５４でシリアル・データ・ストリームから、複数のパラレル・データ・ストリームに変換され、次いでＩＦＦＴブロック７０に入力として供給される。後続の処理は、上述の通りである。
【００２５】
次に図２を参照すると、これはたとえばハイブリッドＯＦＤＭＡ−ＣＤＭＡ方式の基地局内で用いることができる受信器を示す。図２の受信器は、ＯＦＤＭＡ送信からのペイロード・データの復元に成功するのに必要な制御情報を伝達するために、事前に割り振られたＣＤＭＡサブチャネルを用いる方式において特に有用である。上記のようにこのような制御情報は、中でも、ＭＣＳ、パケット持続時間、サブキャリアのトーン入力信号への割振りを含むことができる。
【００２６】
ブロック１００では、エア・インターフェース上で受信された信号は、個々のトーン出力信号を復元するために、ＦＦＴ（高速フーリエ変換）アルゴリズムによって処理される。ブロック１１０では、ＣＤＭＡサブチャネル内に含まれるトーン出力信号は、良く知られたＣＤＭＡ受信の技法を用いてデコードされる。ブロック１１０によって表される処理は、たとえば図１のブロック６０によって表されるプリコーディング・プロセスの逆を含むことになる。このような処理は、通常、周波数領域信号から時間領域信号に変換するための逆ＤＦＴを含むことになる。
【００２７】
ブロック１１０におけるデコーディングは、中でも、ＯＦＤＭＡトーン出力信号をデコードするために必要な制御情報をもたらす。しかし、ブロック１１０から最初に得られる制御情報は、上述のようにキャリア間干渉によって損なわれている場合がある。したがって以下で分かるように、最初は制御情報は、ＣＤＭＡトーン出力信号から干渉をキャンセルするのに用いるように、デコードされたＯＦＤＭＡトーン出力信号の近似をもたらすためだけに用いられる。
【００２８】
したがって遅延回路１２０は、ＯＦＤＭＡトーン出力信号をデコードする試みがなされる前に、ブロック１１０から制御情報の初期近似が利用可能になることを確実にする。ブロック１３０では、制御情報の現在のバージョンを用い、かつブロック１２５で計算されたチャネル係数の推定を用いて、ＯＦＤＭＡトーン出力信号がデコードされる。たとえばパイロット信号の測定に基づく方法を含む、様々なチャネル推定の方法が良く知られている。
【００２９】
反復回数が増すにつれて、一般に制御情報の精度は向上する。また制御情報は、ＣＤＭＡサブチャネル上に、たとえばこれもまたＣＤＭＡサブチャネル上で送られる低速データと比べて、比較的大きな電力で送信し得ることが留意されるべきである。制御情報の送信電力を高めることは、受信される制御情報の誤り率の低減につながり、したがってブロック１３０でのデコーディング障害の可能性の低減につながる。
【００３０】
ブロック１４０および１５０は、ＣＤＭＡ信号からキャリア間干渉ＩＣＩをキャンセルするためのプロセスを表す。このようなプロセスを実行するアルゴリズムは、良く知られておりここでの詳細な説明は必要ない。通常、並列ＩＣＩキャンセリング・アルゴリズムが用いられることになる。
【００３１】
非常に簡単に言えば、干渉キャンセル・プロセスは、まず、ＣＤＭＡトーン出力信号からのクロストークがなければそうなるであろうというように、ＯＦＤＭＡトーン出力信号を再生することを試みる。キャンセル・プロセスが安定であるためには、このようなクロストークを除外することは重要である。推定ＩＣＩ信号は、再生されたＯＦＤＭＡトーン出力信号から計算され、次いでそれらがＣＤＭＡトーン出力信号から減算される。
【００３２】
したがってブロック１４０では、ＯＦＤＭＡトーン出力信号をデコードすることによってブロック１３０で復元されたデータを用い、かつブロック１１０から得られる制御データを用いて、再生されたＯＦＤＭＡトーン出力信号が計算される。
【００３３】
ブロック１５０では、ブロック１４０からの再生された信号、およびＣＤＭＡサブキャリアに対するチャネル推定を含む、ブロック１２５で得られたチャネル推定を用いて、推定ＩＣＩ信号が計算される。さらにブロック１５０では、推定ＩＣＩが、ＣＤＭＡトーン出力信号からキャンセルされる。この点に関して、ＩＣＩは、ＦＦＴブロック１００の出力から直接得られたＣＤＭＡ信号から、すなわちブロック１１０で表される処理の前のＣＤＭＡ信号からキャンセルされることに留意されるべきである。
【００３４】
ブロック１１０では上述のように、干渉がキャンセルされたＣＤＭＡ信号が、ＣＤＭＡトーン上に送信されたペイロード・ビットを復元するためにデコードされる。ＣＤＭＡ信号から得られた制御情報は、ＯＦＤＭＡデコーダ・ブロック１３０へ送られ、制御はブロック１３０へ戻ることができ、上記のステップをさらに反復してもよい。
【００３５】
動作時には、復元された制御情報の品質と、デコードされたＯＦＤＭＡトーン出力信号の品質は共に、後続の反復によって改善する傾向がある。その結果として、計算された干渉は、実際の干渉に集束することになり、結果としての干渉キャンセルは、少なくともある限界に達するまではますます効果的となる。
【００３６】
反復は、適当な基準が満たされたときに停止する。適当な基準の１つの例は、一定の反復回数の後に停止するものである。発明者らは、通常のネットワークでは、わずか３回または４回の反復でも、しばしば十分であると考える。適当な基準のもう１つの例は、一定の反復回数の後に停止する、またはさらには前の反復の結果に対する、出力信号における増分的な改善が規定量未満の場合はそれより早く停止するものである。
【００３７】
反復が停止すると、デコードされたＣＤＭＡ信号の最終バージョンがブロック１１０によってもたらされ、デコードされたＯＦＤＭＡ信号の最終バージョンがブロック１３０によってもたらされる。干渉がキャンセルされたＣＤＭＡ信号の最終バージョンも、ＩＦＦＴモジュールの入力にて表されるものとして、得ることができる。
【００３８】
一部のハイブリッドＯＦＤＭＡ−ＣＤＭＡ方式では、基地局受信器は、信号復元のために必要な制御情報の知識を予め有することになる。上記のように、この情報は、ＭＣＳ、パケット持続時間、およびトーンの割振りを含むことができる。この情報は、たとえば基地局へ送信しているユーザが、いわゆる「スケジュール・モード」で動作している場合には予め供給される。
【００３９】
このような状況下では、基地局受信器は図２の反復プロセスの代わりに、図３に示される、より簡単なプロセスに従って動作することができる。図２に示されたいくつかの処理要素は、図３内に繰り返されており、両方の図で同じ参照番号により指定される。
【００４０】
ここで図３を参照すると、前の図のように、エア・インターフェースから受信された信号はＦＦＴプロセス１００を受けることが分かる。ＦＦＴブロック１００から得られるＯＦＤＭＡトーン出力信号は、ブロック１３０でデコードされる。デコーダ１３０は、ブロック１６０でもたらされるＯＦＤＭＡトーンに対するチャネル係数の推定を用いる。ブロック１４０では、図２の受信器に関連して上述したように、ＯＦＤＭＡトーン出力信号が再生される。
【００４１】
図３の上側のブロック部を参照すると、ＣＤＭＡトーン出力信号は、ブロック１７０で示される遅延の後に処理されることが分かり、これは上述のように干渉するＯＦＤＭＡ信号が再生されるための時間を与える。ブロック１５０では、再生された信号から干渉が計算され、ＣＤＭＡトーン出力信号から減算されて、干渉がキャンセルされた信号を生ずる。図２の受信器に関連して上述したように、干渉は、ＣＤＭＡ信号がＣＤＭＡデコーディングを受ける前に、ＣＤＭＡ信号から減算される。ＣＤＭＡデコーダ・ブロック１８０は、図２のブロック１１０に対応する。
【００４２】
次に、検出されるべきシンボルからＩＣＩをキャンセルするための、１つの良く知られた方法について簡単に述べる。この方法は説明を目的としたものであり、限定するものではない。このような方法により、ＩＣＩを加算的な干渉としてモデル化することが可能である。
【００４３】
説明として、モデルのＯＦＤＭＡ方式は、サブキャリア上にシンボルを乗せるためにＮ点のＩＦＦＴアルゴリズムを用い、Ｍ個の分散経路を有するレイリー・フェージング・チャネル上に、シンボル間隔Ｔにてシンボルを送信する。チャネルは、フェージング係数Ｈｍ（ｎ−ｌ）を有し、ただしｍは分散経路を表し、ｎは干渉するサブキャリアのインデックスであり、ｌはシンボルが受信されるサブキャリアのインデックスである。サブキャリアｎ上のシンボルａｎによるＩＣＩ寄与は、次式として計算され、
【００４４】
【数１】
2009530974.tif 000003
【００４５】
総和は、分散経路にわたってとられる。１つの特定のＣＤＭＡトーンｌに対する、すべてのＯＦＤＭＡトーンからのＩＣＩの寄与の合計は、
【００４６】
【数２】
2009530974.tif 000004
【００４７】
ここで、
【００４８】
【数３】
2009530974.tif 000005
【００４９】
ｈｍはブロック１２５におけるチャネル推定結果であり、ａｎはブロック１３０からのＯＦＤＭＡトーンのデコードの結果である。これらの値に基づいて、各ＣＤＭＡトーンに対するＩＣＩの寄与を計算し、次いで、これらの寄与をブロック１００からブロック１１０への元の出力から減算し、それによって典型的な干渉キャンセル・プロセスを実行することができる。
【００５０】
上述した種類のＩＣＩキャンセルは、たとえば、Ｅ．Ｌｅｕｎｇら、「Ａ  Ｓｕｃｃｅｓｓｉｖｅ  Ｉｎｔｅｒｆｅｒｅｎｃｅ  Ｃａｎｃｅｌｌａｔｉｏｎ  Ｓｃｈｅｍｅ  ｆｏｒ  ａｎ  ＯＦＤＭ  ｓｙｓｔｅｍ」、ＩＥＥＥ  Ｉｎｔｅｒｎａｔｉｏｎａｌ  Ｃｏｎｆｅｒｅｎｃｅ  ｏｎ  Ｃｏｍｍｕｎｉｃａｔｉｏｎｓ、ＩＥＥＥ（１９９８年），３７５〜３７９頁に記載されている。
【図面の簡単な説明】
【００５１】
【図１】複数のＣＤＭＡ信号を送信するように適合されたＯＦＤＭＡ送信器の信号処理部の、簡略化された機能ブロック図である。
【図２】一実施形態での本発明によるハイブリッドＯＦＤＭＡ−ＣＤＭＡ方式における受信器の信号処理部の、簡略化された機能ブロック図である。
【図３】別の実施形態での本発明によるハイブリッドＯＦＤＭＡ−ＣＤＭＡ方式における受信器の信号処理部の、簡略化された機能ブロック図である。
【図１】
2009530974.tif 000006
【図２】
2009530974.tif 000007
【図３】
2009530974.tif 000008
【国際調査報告】
2009530974.tif 000009
2009530974.tif 000010
2009530974.tif 000011